(57)【要約】【課題】ユーザに余計な振込の手間を負担させることなく、振込手数料の無駄をなくし、第三者の口座への即時振込を実現する。【解決手段】振込代行システム１００は、ローン会社Ｘが運営する振込代行サーバ１０１と、インターネット１０５を介して振込代行サーバ１０１に接続された操作端末１０２と、振込元となる振込元ホスト１０３と、振込先ホスト１０４とで構成されている。振込代行サーバ１０１は、ユーザが操作する操作端末１０２から振込依頼を受信して、振込代行処理を実行する。ただし、振込先口座としてユーザ本人の口座が入力された場合には、振込先口座の再入力を要求する。振込処理の際に生成される振込データには、振込元口座と振込人名のデータが含まれているので、組戻し先を確実に知ることができ、融資された資金を振り込んでいるということを知られることもない。【選択図】図１
2007141181.tif 000002
【特許請求の範囲】
【請求項１】
ユーザに対する融資が可能な場合にユーザ本人に代わって融資資金を指定口座へ振り込む振込代行処理を行う振込代行サーバと、
インターネットを介して前記振込代行サーバに接続された操作端末と、
前記インターネットを介して前記振込代行サーバに接続された振込元ホストと、
専用回線を介して前記振込元ホストに接続された振込先ホストを備え、
前記振込代行サーバは、
前記ユーザが操作する前記操作端末から振込代行依頼データを受けたとき、少なくとも振込先口座データ、振込金額データ及び振込人名データを要求する手段と、
前記振込元ホストから振込結果データを受け取ったときに前記振込金額データを貸付金データとして計上する手段を備え、
前記振込元ホストは、振込元口座データ、振込先口座データ、前記振込人名データ及び前記振込金額データを含む振込データを生成し、当該振込データを前記振込先ホストへ転送する手段を備えていることを特徴とする振込代行システム。
【請求項２】
前記振込代行サーバは、
前記操作端末から送られてきた前記振込金額データをもとに前記ユーザに対する融資の可否を判断する手段をさらに備えることを特徴とする請求項１に記載の振込代行システム。
【請求項３】
前記振込代行サーバは、
前記振込先口座がユーザごとに登録された顧客レコードファイルを有し、前記振込代行処理の際に入力された振込先口座の登録を要求された場合に、前記振込先口座が登録された新規顧客レコードを前記顧客レコードファイルに追加することを特徴とする請求項１又は２に記載の振込代行システム。
【請求項４】
前記振込代行サーバは、
前記ユーザ本人の登録口座データを含む顧客レコードファイルを備え、
前記振込先口座データがユーザ本人の登録口座と一致する場合に、振込先口座の再入力を要求することを特徴とする請求項１乃至３のいずれか一項に記載の振込代行システム。
【請求項５】
前記振込代行サーバは、
前記振込先口座データがユーザ本人の登録口座と一致する場合に、振込キャッシングモードに移行することを特徴とする請求項１乃至３のいずれか一項に記載の振込代行システム。
【発明の詳細な説明】
【技術分野】
【０００１】
本発明は、振込代行システムに関し、特に、ユーザによる振込の手間を省略することが可能な振込代行システムに関するものである。
【背景技術】
【０００２】
近年、インターネットの急速な拡大により、個人融資の申込をオンラインで受け付けるローン会社が増えている。このサービスでは、予め会員登録しているユーザがインターネット上のＷｅｂサイトにアクセスし、画面操作により融資の申込手続を行うことで、ユーザ本人の指定口座に金額が振り込まれる。このサービスによれば、インターネットに接続できる環境さえあればいつでもどこでも融資の申込が可能なため、ユーザにとっては非常に便利である。
【０００３】
このように融資された資金は何らかの目的で使われるのであるが、その使われ方のひとつとして、第三者の指定の口座へ振り込む場合がある。例えば、田舎の両親に定期的に送金するような場合、公共料金を早急に支払う場合、金融機関からの他の金融機関への借り換えのために借入金を借り換え元の金融機関の口座に振り込んだりする場合などである。また、最近では、ネットショッピングやネットオークションの代金を振り込むための資金としても利用されることも多い。
【０００４】
特に、インターネットオークションでは、本人が常日頃ほしいと思っている商品が格安で出品された場合、その商品を手に入れる最大のチャンスとなるが、そのようなときに必ずしも資金が十分でない場合がある。しかし、商品の落札日は迫っており、同じ商品が再び格安で出品されるかどうかは分からない。また、インターネットオークションでは商品の落札日からある程度の期間内に振込を行わないと本人評価が下がってしまうため、代金を持ち合わせていない場合には早急な融資が必要となる。
【０００５】
このように、融資された資金を所定の口座に振り込もうとするユーザは、通常、次のような手続きを踏むことになる。まず、ユーザはパソコンを操作してローンの申込をオンラインで行った後、その審査で融資が可能と判断された場合には、本人の口座へ所定の金額が振り込まれる。ユーザは自分の口座がネットバンクに対応している場合には、オンラインで指定の口座へ振り込む。自分の口座がネットバンクに対応していない場合には、ＡＴＭ等で現金を引き出し、指定の口座への振込手続を行うことになる。
【０００６】
また、最近は２４時間営業のネット専業銀行が利用されるようになってきている。そのようなネット専用銀行を利用すれば、２４時間いつでも振込手続を行うことが可能であるが、口座を持っていなければそのようなサービスを受けることはできない。その一方で、一時的にネット専業銀行の２４時間振込を利用したいというニーズも存在している。
【特許文献１】特開２００５−１０７６０５号公報
【特許文献２】特開２００５−２５４６８号公報
【特許文献３】特開２００３−２９６５７３号公報
【特許文献４】特開２００２−３１２５９６号公報
【発明の開示】
【発明が解決しようとする課題】
【０００７】
しかしながら、オンラインで融資を受けることで自分の指定口座に振り込まれた金額を第三者の口座へ再び振り込むという操作は、非常に手間がかかり面倒である。また、ユーザに余計な振込の手間を負担させ、振込手数料の無駄も生じ、第三者の口座への振込完了までの時間も遅延してしまう。
【０００８】
したがって、本発明の目的は、ユーザに余計な振込の手間を負担させることなく、振込手数料の無駄をなくし、第三者の口座への即時振込を実現することが可能な振込代行システムを提供することにある。
【課題を解決するための手段】
【０００９】
本発明の上記目的は、ユーザに対する融資が可能な場合にユーザ本人に代わって融資資金を指定口座へ振り込む振込代行処理を行う振込代行サーバと、インターネットを介して前記振込代行サーバに接続された操作端末と、前記インターネットを介して前記振込代行サーバに接続された振込元ホストと、専用回線を介して前記振込元ホストに接続された振込先ホストを備え、前記振込代行サーバは、前記ユーザが操作する前記操作端末から振込代行依頼データを受けたとき、少なくとも振込先口座データ、振込金額データ及び振込人名データを要求する手段と、前記振込元ホストから振込結果データを受け取ったときに前記振込金額データを貸付金データとして計上する手段を備え、前記振込元ホストは、振込元口座データ、振込先口座データ、前記振込人名データ及び前記振込金額データを含む振込データを生成し、当該振込データを前記振込先ホストへ転送する手段を備えていることを特徴とする振込代行システムによって達成される。
【００１０】
本発明において、前記振込代行サーバは、前記操作端末から送られてきた前記振込金額データをもとに前記ユーザに対する融資の可否を判断する手段をさらに備えることが好ましい。これによれば、融資の判断から振込処理までを早期に完了することが可能となる。
【００１１】
本発明において、前記振込代行サーバは、前記振込先口座がユーザごとに登録された顧客レコードファイルを有し、前記振込代行処理の際に入力された振込先口座の登録を要求された場合に、前記振込先口座が登録された新規顧客レコードを前記顧客レコードファイルに追加することが好ましい。これによれば、新規な振込依頼の際に入力された情報を利用して振込口座登録を行うことができる。
【００１２】
本発明において、前記振込代行サーバは、前記ユーザ本人の登録口座データを含む顧客レコードファイルを備え、前記振込先口座データがユーザ本人の登録口座と一致する場合に、振込先口座の再入力を要求してもよく、前記振込先口座データがユーザ本人の登録口座と一致する場合に、振込キャッシングモードに移行してもよい。このようにすれば、振込代行サービス中において実質的に振込キャッシングが行われる事態を防止することができる。
【発明の効果】
【００１３】
本発明によれば、ユーザに余計な振込の手間を負担させることなく、振込手数料の無駄をなくし、第三者の口座への即時振込を実現することが可能な振込代行システムを提供することができる。
【発明を実施するための最良の形態】
【００１４】
以下、添付図面を参照しながら、本発明の好ましい実施形態について詳細に説明する。
【００１５】
図１は、本発明の好ましい実施形態に係る振込代行システム全体の構成を示す模式図である。
【００１６】
図1に示すように、振込代行システム１００は、ローン会社Ｘが運営する振込代行サーバ１０１と、インターネット１０５を介して振込代行サーバ１０１に接続された操作端末１０２と、振込元となる銀行Ａのホストコンピュータ（振込元ホスト）１０３と、振込先となる銀行Ｂのホストコンピュータ（振込先ホスト）１０４とで構成されている。振込代行サーバ１０１はインターネット１０５を介して振込元ホスト１０３に接続されており、振込元ホスト１０３及び振込先ホスト１０４は、専用回線（銀行間ネットワーク）１０６を介して互いに接続されている。
【００１７】
振込代行サーバ１０１は、操作端末１０２から送られてきた情報をもとにユーザに対する融資の可否を判断した後、ユーザに対して所望の金額の貸付処理を行うと共に、ユーザに代わって指定口座への振込処理を行う役割を果たす。本実施形態の振込代行サーバ１０１は、Ｗｅｂサーバ機能、メール送受信機能、データベース機能等を備えている。そのため、振込代行サーバ１０１は、一つの高性能なコンピュータによって実現されてもよく、複数のコンピュータの協働によってタスクを分散処理する構成であってもよい。
【００１８】
操作端末１０２は、インターネット１０５を介して振込代行サーバ１０１にアクセスし、融資の申込手続をするための手段である。操作端末１０２は、例えばインターネット１０５に接続可能なパーソナルコンピュータであり、ディスプレイ、キーボード、マウス等を含み、Ｗｅｂサイトを閲覧するためのＷｅｂブラウジング機能を備えている。操作端末１０２は、振込代行サーバ１０１との間で必要な情報をやりとりすることにより、ローン契約を締結し、振込処理を要求する。
【００１９】
振込元ホスト１０３は、各種銀行取引を行うことが可能なシステムであるが、本実施形態においては特に、振込代行サーバ１０１からの振込依頼を受け付け、振込処理を実行する役割を果たす。特に限定されるものではないが、銀行Ａは、２４時間営業のネット専業銀行であることが好ましい。これによれば、振込代行サーバ１０１経由で２４時間対応の即時振込を実現することが可能となる。銀行Ａにはローン会社Ｘの口座が開設されており、銀行Ａの振込元ホスト１０３は、振込代行サーバ１０１からの依頼に基づいて、このローン会社Ｘの口座から指定口座へ指定金額を振り込む処理を行う。振込元ホスト１０３も、一つの高性能なコンピュータによって実現されてもよく、複数のコンピュータの協働によってタスクを分散処理する構成であってもよい。
【００２０】
振込先ホスト１０４は、各種銀行取引を行うことが可能なシステムであるが、本実施形態においては特に、振込元ホストからの振込処理を受けて、指定口座への入金処理を実行する役割を果たす。銀行Ｂは、２４時間営業のネット専業銀行であってもよく、普通の銀行であってもよい。振込先ホスト１０４も、一つの高性能なコンピュータによって実現されてもよく、複数のコンピュータの協働によってタスクを分散処理する構成であってもよい。
【００２１】
振込代行サーバ１０１のデータベースには、ローン会社Ｘの会員情報である顧客レコードファイルが登録されている。図２は、顧客レコード２００の構成の一例を示す図である。図２に示すように、顧客レコード２００には、「顧客ＩＤ」２０１、「パスワード」２０２、「氏名」２０３、「住所」２０４、「電話番号」２０５、「Ｅメールアドレス」２０６、「顧客口座番号」２０７、「融資限度額」２０８、「振込代行サービス」２０９等の情報が登録されている。例えば、山田太郎さんの顧客レコードは「顧客ＩＤ：ＺＡ２１２５８／パスワード：０９１５／氏名：山田太郎／住所：東京都中央区銀座１−２−３／電話番号：０３−３５３１−１２３４／Ｅメールアドレス：yamada@abcd.co.jp／顧客口座番号：太陽銀行 新宿支店 普通 ３１７３１７３ ヤマダ  タロウ／融資限度額：１００万円／振込代行サービス：０」という内容になっている。このうち「顧客口座番号」２０７は、いわゆる通常の振込キャッシングサービスを受けるときに必要な本人名義の口座番号である。振込キャッシングサービスとは、ユーザ本人の口座を予め登録しておき、融資を受ける場合にその資金を登録口座へ振り込んでもらうサービスである。「融資限度額」２０８はユーザの年収や収入の安定度等から算出したものであり、この融資限度額を上限として融資の可否が判断される。「振込代行サービス」２０９は、振込代行サービスを受ける資格があるかどうかを判断するためのデータであり、振込代行サービスに登録している場合にはフラグ「１」、登録していない場合はフラグ「０」が立つことになる。振込代行サーバ１０１は、この顧客レコードファイルを参照することで、ユーザのログインを許可したり、振込代行サービスを提供したりすることが可能となる。
【００２２】
また、振込代行サーバ１０１のデータベースには、ユーザが登録した振込先口座情報である指定口座レコードファイルが登録されている。図３は、指定口座レコード３００の構成の一例を示す図である。図３に示すように、指定口座レコード３００には、「顧客ＩＤ」３０１、「振込先口座」３０２、「振込人名」３０３等の情報が登録されている。例えば、山田太郎さんの指定口座レコードの一つは、「顧客ＩＤ：ＺＡ２１２５８／振込先口座：丸一銀行 大宮支店 普通 １２３４５６７ タナカ  ハナコ／振込人名：ヤマダ  タロウ」という内容になっている。このうち「振込人名」３０３は、振込先に通知される振込人の情報である。通常、振込人名は、銀行Ａの振込元口座の名義人であるローン会社Ｘの名称となるが、この「振込人名」３０３を指定することで、ユーザ本人による振込であることを相手方に知らせることができ、ローン会社Ｘによる振込代行であることを察知されずに済むことになる。振込代行サーバ１０１は、この指定口座レコード３００を参照することで、ユーザが事前に登録した指定口座に所定の金額を振り込むことが可能となる。
【００２３】
次に、振込代行システム１００による振込代行処理について詳細に説明する。
【００２４】
振込代行システム１００を利用する場合、ユーザは、まず振込代行サービスを受けるための申込をする必要がある。振込代行サービスは、すべての会員に提供される基本サービスではなく、ユーザが希望した場合にのみ提供されるオプションサービスだからである。図４に示すように、振込代行サービスの申込では、ユーザが操作端末１０２を操作し、ローン会社ＸのＷｅｂサイトにアクセスし、顧客ＩＤとパスワードを入力して会員専用ページにログインする（Ｓ４０１）。その後、会員専用ページ内で所定の操作を行って、振込代行サービスの登録ページに移動し、当該ページ内で振込代行サービスの開始を申し込む（Ｓ４０２）。
【００２５】
図５は、振込代行サービスの申込ページの一例を示す図である。図５に示すように、このページには、ユーザ名５０１と、振込代行サービスに登録する旨の説明５０２と、「振込先口座登録」ボタン５０３と、「キャンセル」ボタン５０４と、「登録」ボタン５０５が表示されており、ユーザは「登録」ボタン５０５をクリックするだけで申込が可能となっている。「登録」ボタン５０５をクリックする前に「振込先口座登録」ボタン５０３をクリックすれば、振込先口座（指定口座）を事前に登録させることも可能である。こうして入力されたデータは振込代行サーバ１０１側に送信され（Ｓ４０３）、振込代行サーバ１０１は受信データをもとにユーザの顧客レコードファイルを書き換え、振込代行サービス開始のフラグを立てることで、振込代行サービスの開始を登録する（Ｓ４０４）。その後、操作端末１０２のディスプレイに登録完了画面を表示し（Ｓ４０５）、ユーザがログアウトを行うことにより（Ｓ４０６）、一連の登録操作が完了する。
【００２６】
次に、図６乃至図９を参照しながら、実際の振込代行処理について詳細に説明する。
【００２７】
振込代行を依頼する場合、ユーザは、まずローン会社ＸのＷｅｂサイトの会員専用ページにログインし（Ｓ６０１）、振込代行の依頼手続を行う（Ｓ６０２）。振込代行の依頼では、操作端末１０２のディスプレイに表示される画面の指示に従って必要項目を入力する。図９は、振込代行依頼ページ９００の構成の一例を示す図である。図９に示すように、このページには、「振込先銀行名（又は銀行コード）」９０１、「振込先支店名（又は支店コード）」９０２、「振込先預金科目（普通・当座・貯蓄）」９０３、「振込先口座番号（半角数字）」９０４、「受取人口座名義 （全角カナ）」９０５、「振込金額（半角数字）」９０６、「振込指定日（年月日）」９０７、「振込人名（全角カナ）」９０８、「連絡先電話番号」９０９及び「振込先口座の登録」９１０の入力欄（選択欄）と、「キャンセル」ボタン９１１と、「送信」ボタン９１２が表示されている。ここで、事前に登録した指定口座を利用する場合には、「振込金額」９０６と「振込指定日」９０７を入力すればよく、他の項目は自動的に入力される。また、「振込人名」９０８の入力欄には任意の氏名を入力することができ、ユーザ本人の氏名のみならず、第三者の氏名の入力も可能である。また、「振込先口座の登録」９１０は必須でなく、振込先口座を登録するかどうかはユーザ本人が自由に選択することができる。
【００２８】
ここで、もしユーザが第三者の口座ではなく本人名義の口座（つまり、太陽銀行 新宿支店 普通 ３１７３１７３ ヤマダ  タロウ）を振込先口座として入力した場合には、いわゆる振込キャッシングと同等の処理となるので、振込代行サーバ１０１は、振込先口座の再入力を要求する。具体的には、振込先口座データを顧客レコードファイル内の当該ユーザ本人の登録口座データと比較し、振込先口座がユーザ本人の登録口座と一致する場合には、振込先口座の再入力を要求する。このような処理を行うことで、振込代行サービスにおいて振込キャッシングサービスが行われる事態を確実に防止することができる。
【００２９】
ユーザがこれらの項目を入力した後、「送信」ボタン９１１をクリックすると、振込代行処理が実行され、これらの情報が振込代行サーバ１０１へ送信される（Ｓ６０３）。その後、操作端末１０２には受付完了画面が表示され（Ｓ６０４）、ユーザがログアウトすることにより操作端末による処理は終了する（Ｓ６０５）。一方、振込代行サーバ１０１側ではこれらのデータを受け付け（Ｓ６０６）、振込口座の登録が希望されている場合には振込口座の登録処理を行い、上述の「指定口座レコード」を新規に作成する（Ｓ６０７）。その後、振込データを作成し、振込依頼を振込元ホスト１０３に送信する（Ｓ６０８）。
【００３０】
振込依頼を受信した振込元ホスト１０３は、振込が同一行宛の場合、又は振込が他行宛であって指定口座（振込口座）の有無を確認できる場合には（Ｓ６０９Ｙ）、自己のデータベース或いは他行のデータベースを検索し、指定口座の有無を直ちに確認する（Ｓ６１０）。口座がある場合（Ｓ６１０Ｙ）、振込元ホスト１０３は振込処理を実行し（Ｓ６１１）、その結果を振込代行サーバ１０１に返信する（Ｓ６１２）。
【００３１】
振込代行サーバ１０１は、振込結果を受信した時点で貸付金を計上し、振込金額をユーザの貸付残高に反映させる（Ｓ６１２）。例えば、山田太郎さんの振込金額が１５０，０００円であり、振込完了前の貸付残高が２０，０００円の場合、振込完了後の貸付残高は１７０，０００円となる。また、こうした振込処理の実行と同時に振込手数料が発生するが、振込処理はローン会社Ｘの口座から行われているため、振込手数料もローン会社Ｘの口座から引き落とされる。つまり、振込手数料をローン会社Ｘの負担とすることが可能となる。その後、振込代行サーバ１０１は貸付明細（１７条書面）を印刷する。こうして印刷された貸付明細は郵送によりユーザに届けられる。一方、指定口座がない場合（Ｓ６１０Ｎ）、振込元ホスト１０３は振込処理を中止し（Ｓ７０１）、その結果（エラー報告）を振込代行サーバ１０１に返信する（Ｓ７０２）。エラー報告を受信した場合、振込代行サーバ１０１はその結果をＥメールにてユーザに送信する（Ｓ７０４）。ユーザはメールを受信するので（Ｓ７０５）、振込が実行されなかったことを知ることができる。
【００３２】
また、振込が他行宛であって指定口座の有無を確認できない場合には（Ｓ６０９Ｎ）、振込元ホスト１０３は、指定口座の有無を確認することなく振込処理を実行する（Ｓ８０１）。振込処理では、振込データを生成し、振込データを振込先ホストに転送する。図１０は、振込データの構成の一例を示す図である。図１０に示すように、振込データ１０００は、「振込元口座」１００１、「振込人名」１００２、「振込先口座」１００３、「振込金額」１００４、「振込指定日」１００５等により構成されている。このように、振込データに「振込元口座」１００１が含まれていることから、指定口座への振込ができず振込先の銀行Ｂが組戻し作業を行う場合でも、組戻し先を確実に知ることができる。一方、振込先口座の名義人に対しては、振込人名がローン会社Ｘではなくユーザ本人の氏名（ユーザが指定する任意の氏名）となるため、指定口座の名義人に対してユーザ本人が振り込んだお金であることを知らせることができ、融資された資金を振り込んでいるということを知られることがない。その後、振込元ホスト１０３は振込結果（受付完了）を振込代行サーバ１０１に返信する（Ｓ８０２）。
【００３３】
振込代行サーバ１０１は、振込結果を受信した時点で貸付金を計上し、振込金額を貸付残高に反映させ（Ｓ８０３）、貸付明細（１７条書面）を印刷する（Ｓ８０４）。その後、指定口座が存在しない等、何らかの原因で振込不能の場合（Ｓ８０５Ｙ）、振込元ホスト１０３はその結果（振込不能）を振込代行サーバ１０１に送信する（Ｓ８０６）。振込不能報告を受信した場合、振込代行サーバ１０１はその結果をＥメールにて送信する（Ｓ８０７）。ユーザはメールを受信するので（Ｓ８０８）、振込が実行されなかったことを知ることができる。このように振込が失敗した場合、ユーザはＷｅｂ上で振込口座を再登録し、登録後の内容で再び振込代行を依頼することができる。
【００３４】
以上説明したように、本実施形態によれば、ユーザからの振込代行依頼を受けて振込代行サーバ１０１が振込元ホスト１０３に指定口座への振込依頼を送信すると、振込元ホスト１０３がローン会社Ｘの口座から指定口座へ指定金額の振り込み処理を実行し、これと同時に振込金額を貸付金として計上することにより、融資を依頼したユーザ本人の口座を経由することなく、融資された資金を振込先口座に直接振り込まれるので、ユーザに余計な振込の手間を負担させることなく、指定口座への即時振込を実現することができる。
【００３５】
また、本実施形態によれば、振込データに振込元口座の情報と、振込人名のデータが含まれているので、指定口座への振込ができないため振込先の銀行Ｂが組戻し作業を行う際に、組戻し先を確実に知ることができる。一方、振込先口座の名義人に対しては、振込人名がローン会社Ｘではなくユーザ本人の氏名（ユーザが指定する任意の氏名）となるため、指定口座の名義人に対してユーザ本人が振り込んだお金であることを知らせることができ、融資された資金を振り込んでいるということを知られることがない。
【００３６】
本発明は、上記実施形態に限定されることなく、本発明の趣旨を逸脱しない範囲内で種々の変更を加えることが可能であり、これらも本発明の範囲に包含されるものであることは言うまでもない。
【００３７】
例えば、上記実施形態においては、振込代行サーバ１０１と振込元ホスト１０３との間がインターネットを介して接続される場合を例に説明したが、本発明はこれに限定されるものではなく、専用回線で接続されてもよい。
【００３８】
また、上記実施形態においては、振込処理が完了した場合に利用明細を印刷し、これを郵送により提供しているが、本発明はこれに限定されるものではなく、利用明細を電子的に交付することも可能である。
【００３９】
また、上記実施形態においては、振込代行サーバ１０１がユーザに対する融資の可否を判断する機能を含む場合を例に説明したが、本発明はこのような場合に限定されるものではなく、例えば、ユーザに対する融資の可否を判断するサーバ（融資サーバ）を振込代行サーバとは別に設けておき、融資サーバからの融資の可否の判断結果を受けて、振込代行サーバが振込代行処理を実行してもよい。
【００４０】
また、上記実施形態においては、ユーザ本人名義の口座が振込先口座として入力されている場合に、振込代行サーバ１０１が振込先口座の再入力を要求することで、振込代行サービス中において振込キャッシングサービスが行われる事態を防止しているが、本発明はこのような場合に限定されるものではなく、例えば、ユーザ本人名義の口座が振込先口座として入力されている場合に、振込キャッシングモードに移行させてもよい。
【図面の簡単な説明】
【００４１】
【図１】本発明の好ましい実施形態に係る振込代行システム全体の構成を示す模式図である。
【図２】顧客レコード２００の構成の一例を示す図である。
【図３】指定口座レコード３００の構成の一例を示す図である。
【図４】振込代行サービスの申込処理手順を示すフローチャートである。
【図５】振込代行サービスの申込ページの一例を示す図である。
【図６】振込代行処理手順の一部を示すフローチャートである。
【図７】振込代行処理手順の一部を示すフローチャートである。
【図８】振込代行処理手順の一部を示すフローチャートである。
【図９】振込代行依頼ページの構成の一例を示す図である。
【図１０】振込データ１０００の構成の一例を示す図である。
【符号の説明】
【００４２】
１００    振込代行システム
１０１    振込代行サーバ
１０２    操作端末
１０３    振込元ホスト
１０４    振込先ホスト
１０５    インターネット
１０６    専用回線（銀行間ネットワーク）
２００    顧客レコード
２０１    「顧客ＩＤ」データ
２０２    「パスワード」データ
２０３    「氏名」データ
２０４    「住所」データ
２０５    「電話番号」データ
２０６    「Ｅメールアドレス」データ
２０７    「顧客口座番号」データ
２０８    「融資限度額」データ
２０９    「振込代行サービス」データ
３００    指定口座レコード
３０１    「顧客ＩＤ」データ
３０２    「振込先口座」データ
３０３    「振込人名」データ
５００    振込代行サービスの申込ページ
５０１    ユーザ名の表示
５０２    振込代行サービスに登録する旨の説明の表示
５０３    「振込先口座登録」ボタン
５０４    「戻る」ボタン
５０５    「送信」ボタン
９００    振込代行依頼ページ
９０１    「振込先銀行名（又は銀行コード）」入力欄
９０２    「振込先支店名（又は支店コード）」入力欄
９０３    「振込先預金科目（普通・当座・貯蓄）」選択欄
９０４    「振込先口座番号（半角数字）」入力欄
９０５    「受取人口座名義 （全角カナ）」入力欄
９０６    「振込金額（半角数字）」入力欄
９０７    「振込指定日（年月日）」入力欄
９０８    「振込人名（全角カナ）」入力欄
９０９    「振込先口座の登録」選択欄
９１０    「キャンセル」ボタン
９１１    「送信」ボタン
１０００    振込データ
１００１    「振込元口座」データ
１００２    「振込人名」データ
１００３    「振込先口座」データ
１００４    「振込金額」データ
１００５    「振込指定日」データ
【図１】
2007141181.tif 000003
【図２】
2007141181.tif 000004
【図３】
2007141181.tif 000005
【図４】
2007141181.tif 000006
【図５】
2007141181.tif 000007
【図６】
2007141181.tif 000008
【図７】
2007141181.tif 000009
【図８】
2007141181.tif 000010
【図９】
2007141181.tif 000011
【図１０】
2007141181.tif 000012